【手続補正書】
【提出日】平成22年4月1日(2010.4.1)
【手続補正１】
【補正対象書類名】特許請求の範囲
【補正対象項目名】全文
【補正方法】変更
【補正の内容】
【特許請求の範囲】
【請求項１】
筒状をなす本体と、前記本体先端に設けられた塗布体と、少なくとも前記塗布体を覆うキャップとを備え、前記本体内部には粘度が１，０００（ｍＰａ・ｓ）〜１００，０００（ｍＰａ・ｓ）の塗布液を収容する塗布液収容空間とを備え、
前記塗布液収容空間を後端側から封止するピストン体と、
前記ピストン体後方から連結する軸状部材とを備えて、前記ピストン体を前進させることによって前記本体内部の塗布液を加圧する液体加圧機構を具備し、該液体加圧機構により塗布液を本体先端に設けられた塗布体へと供給するようにした液体塗布具において、
塗布体は、塗布面鉛直方向視で先端が略円弧形状をなし、塗布面側面方向視で中央に段差を有する略平面の塗布面を持つ扁平な先細り形状の弾性材からなり、前記塗布液収容空間から塗布体吐出口に通じる連通路が塗布体内部に形成され、
該吐出口が前記略平面の塗布面略中央部にスリット状に形成され、
この吐出口から塗布体先端までの距離Ｌは、１（ｍｍ）≦Ｌ≦２０（ｍｍ）の寸法範囲内にあり、
塗布体中央部の幅Ｗは２（ｍｍ）≦Ｗ≦２０（ｍｍ）の寸法範囲内にあり、かつ、前記塗布体は、その先端より３（ｍｍ）の部分の垂直反発力が０．０１（Ｎ）〜１．４０（Ｎ）であることを特徴とする液体塗布具。
【請求項２】
筒状をなす本体と、前記本体先端に設けられた塗布体と、少なくとも前記塗布体を覆うキャップとを備え、前記本体内部には粘度が１，０００（ｍＰａ・ｓ）〜１００，０００（ｍＰａ・ｓ）の塗布液を収容する塗布液収容空間とを備え、
前記塗布液収容空間を後端側から封止するピストン体と、
前記ピストン体後方から連結する軸状部材とを備えて、前記ピストン体を前進させることによって前記本体内部の塗布液を加圧する液体加圧機構を具備し、該液体加圧機構により塗布液を本体先端に設けられた塗布体へと供給するようにした液体塗布具において、
塗布体は、塗布面鉛直方向視で先端が略円弧形状をなし、塗布面側面方向視で略平面の塗布面を有する扁平な先細り形状の弾性材からなり、前記塗布液収容空間から塗布体吐出口に通じる連通路が塗布体内部に形成され、
該吐出口が前記略平面の塗布面略中央部にスリット状に形成され、
この吐出口から塗布体先端までの距離Ｌは、１（ｍｍ）≦Ｌ≦２０（ｍｍ）の寸法範囲内にあり、
塗布体中央部の幅Ｗは２（ｍｍ）≦Ｗ≦２０（ｍｍ）の寸法範囲内にあり、かつ、前記塗布体は、その先端より３（ｍｍ）の部分の垂直反発力が０．０１（Ｎ）〜１．４０（Ｎ）であることを特徴とする液体塗布具。
【請求項３】
前記軸状部材の外周部に備わる雄ネジ部と螺合する雌ネジ部を中心に持ち、前記本体とは回転不能に設けられたネジ体と、回転操作部材と、を更に備えることを特徴とする請求項１または２に記載の液体塗布具。
【請求項４】
前記回転操作部材は、前記軸状部材と軸方向に摺動可能かつ相対回転方向には回動不能であって、使用者の操作によって前記軸状部材を前記ネジ体に対して相対回転させる、回転操作部材であることを特徴とする請求項３に記載の液体塗布具。
【請求項５】
前記回転操作部材は、前記ネジ体と、相対回転方向には回動不能であって、使用者の操作によって前記ネジ体を前記軸状部材に対して相対回転させる、回転操作部材であることを特徴とする請求項３に記載の液体塗布具。
【請求項６】
前記ネジ体および前記回転操作部材の噛み合わせ部に歯状のラチェットが形成されて、前記回転操作部材が前記ネジ体に対して一方向のみ回転規制することを特徴とする請求項３から５のうち１項に記載の液体塗布具。
【請求項７】
前記ネジ体および前記回転操作部材の噛み合わせ部に歯状のラチェットが形成されて、前記回転操作部材が前記ネジ体に対して双方向に回転可能であることを特徴とする請求項３から５のうち１項に記載の液体塗布具。
【手続補正２】
【補正対象書類名】明細書
【補正対象項目名】０００７
【補正方法】変更
【補正の内容】
【０００７】
本発明は、筒状をなす本体と、前記本体先端に設けられた塗布体と、少なくとも前記塗布体を覆うキャップとを備え、前記本体内部には粘度が１，０００（ｍＰａ・ｓ）〜１００，０００（ｍＰａ・ｓ）の塗布液を収容する塗布液収容空間とを備え、
前記塗布液収容空間を後端側から封止するピストン体と、
前記ピストン体後方から連結する軸状部材とを備えて、前記ピストン体を前進させることによって前記本体内部の塗布液を加圧する液体加圧機構を具備し、該液体加圧機構により塗布液を本体先端に設けられた塗布体へと供給するようにした液体塗布具において、
塗布体は、塗布面鉛直方向視で先端が略円弧形状をなし、塗布面側面方向視で中央に段差を有する略平面の塗布面を持つ扁平な先細り形状の弾性材からなり、前記塗布液収容空間から塗布体吐出口に通じる連通路が塗布体内部に形成され、
該吐出口が前記略平面の塗布面略中央部にスリット状に形成され、
この吐出口から塗布体先端までの距離Ｌは、１（ｍｍ）≦Ｌ≦２０（ｍｍ）の寸法範囲内にあり、
塗布体中央部の幅Ｗは２（ｍｍ）≦Ｗ≦２０（ｍｍ）の寸法範囲内にあり、かつ、前記塗布体は、その先端より３（ｍｍ）の部分の垂直反発力が０．０１（Ｎ）〜１．４０（Ｎ）であることを特徴とする液体塗布具である。
【手続補正３】
【補正対象書類名】明細書
【補正対象項目名】０００８
【補正方法】変更
【補正の内容】
【０００８】
本発明は、筒状をなす本体と、前記本体先端に設けられた塗布体と、少なくとも前記塗布体を覆うキャップとを備え、前記本体内部には粘度が１，０００（ｍＰａ・ｓ）〜１００，０００（ｍＰａ・ｓ）の塗布液を収容する塗布液収容空間とを備え、
前記塗布液収容空間を後端側から封止するピストン体と、
前記ピストン体後方から連結する軸状部材とを備えて、前記ピストン体を前進させることによって前記本体内部の塗布液を加圧する液体加圧機構を具備し、該液体加圧機構により塗布液を本体先端に設けられた塗布体へと供給するようにした液体塗布具において、
塗布体は、塗布面鉛直方向視で先端が略円弧形状をなし、塗布面側面方向視で略平面の塗布面を有する扁平な先細り形状の弾性材からなり、前記塗布液収容空間から塗布体吐出口に通じる連通路が塗布体内部に形成され、
該吐出口が前記略平面の塗布面略中央部にスリット状に形成され、
この吐出口から塗布体先端までの距離Ｌは、１（ｍｍ）≦Ｌ≦２０（ｍｍ）の寸法範囲内にあり、
塗布体中央部の幅Ｗは２（ｍｍ）≦Ｗ≦２０（ｍｍ）の寸法範囲内にあり、かつ、前記塗布体は、その先端より３（ｍｍ）の部分の垂直反発力が０．０１（Ｎ）〜１．４０（Ｎ）であることを特徴とする液体塗布具である。
【手続補正４】
【補正対象書類名】明細書
【補正対象項目名】０００９
【補正方法】変更
【補正の内容】
【０００９】
また、本発明において、前記軸状部材の外周部に備わる雄ネジ部と螺合する雌ネジ部を中心に持ち、前記本体とは回転不能に設けられたネジ体と、回転操作部材と、を更に備えることが好適である。
また、本発明において、前記回転操作部材は、前記軸状部材と軸方向に摺動可能かつ相対回転方向には回動不能であって、使用者の操作によって前記軸状部材を前記ネジ体に対して相対回転させる、回転操作部材であることが好適である。
また、本発明において、前記回転操作部材は、前記ネジ体と、相対回転方向には回動不能であって、使用者の操作によって前記ネジ体を前記軸状部材に対して相対回転させる、回転操作部材であることが好適である。
また、本発明において、前記ネジ体および前記回転操作部材の噛み合わせ部に歯状のラチェットが形成されて、前記回転操作部材が前記ネジ体に対して一方向のみ回転規制することが好適である。
また、本発明において、前記ネジ体および前記回転操作部材の噛み合わせ部に歯状のラチェットが形成されて、前記回転操作部材が前記ネジ体に対して双方向に回転可能であることが好適である。